(57)【要約】【課題】配線器具において、使用者による手間や別体となるタイマスイッチを必要とせずに任意の時間において負荷に電力供給を行う。【解決手段】配線器具１は、商用電源と負荷１０１との間に介設され、電路２０を遮断する開閉部２と、開閉部２の開閉状態を制御する制御部４と、任意の指示時間に開閉部２による電路２９の導通又は遮断を指示するタイマ部９と、タイマ部９の指示時間を設定するタイマ設定部１０とを備える。開閉部２は、制御部４から送信される制御信号によって開離され、負荷１０１への電路２０を導通又は遮断する。タイマ部９は、設定された指示時間になると、開閉部２を例えば閉状態にする指示信号を制御部４に送信し、受信した指示信号に基づいて制御部４が開閉部２に対して閉状態となるように制御信号を送信する。そして、開閉部２が電路２０を導通させることにより、負荷１０１に電力が供給される。【選択図】図１
2010086793.tif 000002
【特許請求の範囲】
【請求項１】
商用電源に接続された漏電ブレーカと負荷との間に介設され、
商用電源から前記負荷に電力を供給する電路と、この電路を導通又は遮断する開閉部と、この開閉部の動作を制御する制御部と、この制御部を動作させる電源部と、を備える配線器具において、
前記電路の前記開閉部よりも負荷側の端部に設けられ、負荷の電源プラグが脱着されるコンセントと、
設定された時間に前記開閉部による導通又は遮断の動作を前記制御部に指示するタイマ機能部とを備えたことを特徴とする配線器具。
【請求項２】
前記電路に流れる漏電電流を検出し、漏電が判定されたときに前記開閉部による遮断の動作を前記制御部に指示する漏電判定部をさらに備えたことを特徴とする請求項１に記載の配線器具。
【発明の詳細な説明】
【技術分野】
【０００１】
本発明は、設定された時間に電路の導通又は遮断が可能な配線器具に関する。
【背景技術】
【０００２】
従来、屋外にて負荷に電力供給するコンセント等の配線器具には、電気的安全確保のために漏電検出機能や過電流検出機能が搭載されているものが知られている（例えば、特許文献１参照）。この種の配線器具は、漏電検出手段が漏電と判定したときに、接点機構で構成された開閉部を開状態にして電路を遮断することにより漏電経路を絶つ動作をする。この種の配線器具には、壁取り付け型であるコンセント型のものや漏電ブレーカなどを内蔵した盤型のものがある。
【０００３】
このような漏電検出機能を持つ従来の配線器具の例を図４及び図５を参照して説明する。図４に示すように、配線器具１００は、単相３線の商用電源と負荷１０１との間に挿入され、より詳細には、商用電源からの電路（電源ラインＬ１、Ｌ２、及び中性線Ｎ）に介在された主幹ブレーカ１０２を経た分岐ブレーカ１０３の後の電路に接続される。
【０００４】
図５に示すように、配線器具１００は、電路（電源ラインＬ１、及び中性線ラインＮ）に挿入された開閉部１１０と、電路に流れる漏電電流を検出するゼロ相変流器１２０と、開閉部１１０を開離する制御部１３０とを備える。また、配線器具１００は、ゼロ相変流器１２０により検出される漏電電流の信号をフィルタリングするフィルタ部１３１と、漏電か否かを判定する漏電判定部１３２と、各部に電源供給する電源部１５０とをさらに備える。
【０００５】
開閉部１１０は、スイッチ部１６１と、励磁コイル１６２と、励磁コイル１６２の励磁により開離される接点１６３とを有する。制御部１３０は、漏電判定部１３２によって漏電と判定されたときに開閉部１１０を開離し、これにより負荷１０１への電路を遮断する。
【特許文献１】特開２００６−４８９５８号公報
【発明の開示】
【発明が解決しようとする課題】
【０００６】
しかしながら、上記の配線器具１００は、漏電検出時にのみ遮断動作を行うため、正常状態において負荷が接続された場合には電力供給を行う。そのため、例えば、電力料金の安い深夜の時間帯のみに負荷に電力供給を行いたい場合、使用者はその時間帯になってから負荷を配線器具１００に接続する必要がある。また、配線器具１００とは別体となるタイマスイッチを用いることによって任意の時間帯に電力供給を行う方法もあるが、この場合、タイマスイッチを別途取り付ける必要がある。
【０００７】
本発明は、上記問題点を鑑みてなされたものであり、使用者による手間や別体となるタイマスイッチを必要とせずに、任意の時間において負荷に電力供給を行うことができる配線器具を提供することを目的とする。
【課題を解決するための手段】
【０００８】
上記目的を達成するため、請求項１の発明は、商用電源に接続された漏電ブレーカと負荷との間に介設され、商用電源から前記負荷に電力を供給する電路と、この電路を導通又は遮断する開閉部と、この開閉部の動作を制御する制御部と、この制御部を動作させる電源部と、を備える配線器具において、前記電路の前記開閉部よりも負荷側の端部に設けられ、負荷の電源プラグが脱着されるコンセントと、設定された時間に前記開閉部による導通又は遮断の動作を前記制御部に指示するタイマ機能部とを備えたものである。
【０００９】
請求項２の発明は、請求項１の発明において、前記電路に流れる漏電電流を検出し、漏電が判定されたときに前記開閉部による遮断の動作を前記制御部に指示する漏電判定部をさらに備えたものである。
【発明の効果】
【００１０】
請求項１の発明によれば、設定された時間に開閉部による電路の導通又は遮断の動作により、負荷への電力供給を制御することができるので、使用者による手間や別体となるタイマスイッチを必要とせずに、任意の時間帯、例えば電気料金の安い深夜帯にのみ負荷への電力供給を簡単に行うことができる。
【００１１】
請求項２の発明によれば、漏電が判定されたときに開閉部による電路の遮断により、漏洩を遮断することができるので、例えば屋外で比較的電力を必要とする負荷へ電力を供給する際に安全性の高い状態で使用することができる。
【発明を実施するための最良の形態】
【００１２】
以下、本発明の一実施形態に係るタイマ機能付配線器具（以下、配線器具という）について、図１及び図２を参照して説明する。図１に示すように、配線器具１は、商用電源に接続された主幹ブレーカ（漏電ブレーカ）１０２及び分岐ブレーカ（漏電ブレーカ）１０３と、負荷１０１との間に介設される。
【００１３】
配線器具１は、商用電源から負荷１０１に電力を供給する電路２０と、開閉することにより電路２０を導通又は遮断する開閉部２と、電路２０に流れる漏電電流を検出するゼロ相変流器３と、開閉部２の開閉状態を制御する制御部４とを備える。また、配線器具１は、商用電源から直流電源を形成して各部に電源供給する電源部５と、ゼロ相変流器３により検出された漏電電流の信号をフィルタリングするフィルタ部６と、フィルタ部６を通過した信号を基に漏電の判定を行う漏電判定部７とをさらに備える。
【００１４】
また、配線器具１は、漏電による警告メッセージ等を表示する表示部８と、任意の時間（以下、指示時間という）に開閉部２による導通又は遮断を指示するタイマ部（タイマ機能部）９と、タイマ部９の指示時間を設定するタイマ設定部１０とをさらに備える。また、配線器具１は、電路２０の開閉部２よりも負荷１０１側端部に設けられ、負荷１０１の電源プラグが脱着されるコンセント１２をさらに備える。ここでは、商用電源の電源ラインＬ１、及び中性線Ｎの単相２線が開閉部２に接続され、商用電源のアース線Ｅが負荷１０１に接続されている。
【００１５】
開閉部２は、通常、閉状態であり、制御部４から送信される制御信号によって開離され、負荷１０１への電路２０を導通又は遮断する。ゼロ相変流器３は、電路２０の開閉部２よりも商用電源側に設けられると共にゼロ相変流器３のコイル内を電路２０が貫通するように配設され、電路２０に流れる漏電電流を検出し、検出した漏電電流をフィルタ部６に供給する。フィルタ部６は、この漏電電流の信号から高周波数成分を除去した出力信号を漏電判定部７に出力する。
【００１６】
漏電判定部７は、フィルタ部６から出力される出力信号に基づいて漏電か否かの判定を行い、漏電と判定したとき、開閉部２による遮断の動作を制御部４に指示する。具体的には、予め定めた閾値レベルと出力信号レベルとを比較し、出力信号レベルが閾値レベルを超えた場合に漏電と判定して、制御部４に開閉部２を開状態とする指示信号を送信する。
【００１７】
タイマ部９は、予め設定された指示時間に開閉部２による電路２０の導通又は遮断の動作を制御部４に指示するための指示信号を制御部４に送信する。タイマ設定部１０は、タイマ部９の指示時間及びこの時間における開閉部２の動作を設定するものであり、設定された設定時間等の情報は制御部４を介してタイマ部９に出力され、タイマ部９により設定される。設定される情報は、例えば、午後１１時に電力供給を開始する等の情報である。
【００１８】
制御部４は、漏電判定部７、及びタイマ部９から送信された指示信号に基づいて開閉部２に対して開閉動作を制御する制御信号を送信する。また、制御部４は、タイマ設定部１０から送信された指示時間やこの指示時間における動作の情報をタイマ部９に送信する。また、制御部４は、漏電等が発生したときに、漏電を警告するメッセージなどを表示部８に表示させる。電源部５は、商用電源に接続される電力線から電力を得て、制御部４、漏電判定部７、表示部８、タイマ部９、及びタイマ設定部１０等に電力を供給する。
【００１９】
コンセント１２には負荷１０１の電源プラグが脱着される。コンセント１２の形状は、例えば図２（ａ）に示すようなＪＩＳ規格２極接地極付コンセント１５Ａ１２５Ｖ型であり、電源ラインＬ１と接続されるプラグ受け１２ａ、中性線Ｎと接続されるプラグ受け１２ｂ、アース線Ｅと接続されるプラグ受け１２ｃを有する形状である。また、コンセント１２の形状は、図２（ｂ）に示されるようにプラグ受け１２ａ〜１２ｃを有するＪＩＳ規格２極接地極付コンセント１５Ａ１２５Ｖ型であってもよい。また、プラグ受け１２ｃを有しないＪＩＳ規格２極コンセント１５Ａ１２５Ｖ型であってもよい。
【００２０】
次に、上記のように構成された配線器具１において、設定された指示時間による電力供給動作について、図３に示すフローチャートを参照して説明する。ここでは、現在、開閉部２は開状態であり、電路２０に電力が供給されていないものとする。まず、例えば深夜電力を利用するために、タイマ設定部１０を用いて、タイマ部９に午後１１時から午前７時まで電力供給を行うように設定される（Ｓ１）。
【００２１】
タイマ部９は、午後１１時になると（Ｓ２でＹＥＳ）、開閉部２を閉状態にする指示信号を制御部４に送信し（Ｓ３）、受信した指示信号に基づいて制御部４が開閉部２に対して閉状態となるように制御信号を送信する（Ｓ４）。そして、開閉部２が電路２０を導通させることにより（Ｓ５）、負荷１０１に電力が供給される（Ｓ６）。
【００２２】
その後、タイマ部９は、午前７時になると（Ｓ７でＹＥＳ）、開閉部２を開状態にする指示信号を制御部４に送信し（Ｓ８）、受信した指示信号に基づいて制御部４が開閉部２に対して開状態となるように制御信号を送信する（Ｓ９）。そして、開閉部２が電路２０を遮断させることにより（Ｓ１０）、負荷１０１への電力供給が遮断される（Ｓ１１）。
【００２３】
上述したように、本実施形態に係る配線器具１によれば、タイマ部９が指示時間に開閉部２による電路２０の導通又は遮断の動作を指示することにより負荷１０１への電力供給を制御することができる。従って、使用者による手間や別体となるタイマスイッチを必要とせずに、任意の時間帯、例えば電気料金の安い深夜帯にのみ負荷１０１への電力供給を簡単に行うことができる。
【００２４】
また、漏電判定部７は、漏電が判定されたときに、開閉部２による電路２０の遮断の動作を指示する。従って、漏洩を遮断することができ、安全性の高い状態で配線器具１を使用することができる。また、負荷１０１の電源プラグを配線器具１のコンセント１２に抜き挿しするだけで負荷１０１を配線器具１に容易に脱着させることができる。また、配線器具１には漏電検出等の電気的安全確保機能とタイマ機能が一体化されている。従って、例えば、屋外で比較的電力を必要とする電気自動車の充電等を行う際にはケーブルを配線器具１に接続してタイマ設定しておくだけで低料金の電力を安全性の高い状態で利用することができる。
【００２５】
なお、本発明は、上記実施形態の構成に限られず、発明の趣旨を変更しない範囲で種々の変形が可能である。
【図面の簡単な説明】
【００２６】
【図１】本発明の一実施形態に係る配線器具の構成図。
【図２】（ａ）及び（ｂ）は、上記配線器具のコンセントの一例を示す図。
【図３】上記配線器具のタイマによる開閉部の動作手順を示すフローチャート。
【図４】従来の配線器具が用いられた電源と負荷との間の回路図。
【図５】上記配線器具の構成図。
【００２７】
１  タイマ機能付配線器具（配線器具）
２  開閉部
４  制御部
５  電源部
７  漏電判定部
９  タイマ部（タイマ機能部）
１０  タイマ設定部（タイマ機能部）
１２  コンセント
２０  電路
【図１】
2010086793.tif 000003
【図２】
2010086793.tif 000004
【図３】
2010086793.tif 000005
【図４】
2010086793.tif 000006
【図５】
2010086793.tif 000007